(57)【要約】【課題】ランニングコストが低く、かつ、安全性および信頼性が高い洗濯機を提供する。【解決手段】外箱１内には、給水装置１０によって給水される水槽を配置している。外箱１の上部は天板２０から成っていて、天板２０の下方に着脱可能な銀イオンユニット３１を配置している。天板２０には銀イオンユニット３１に対向する開口部２０ｂが設けられている。【選択図】図３
2005334118.tif 000002
【特許請求の範囲】
【請求項１】
上部が天板から成る外箱と、
上記外箱内に配置された水槽と、
上記水槽に給水する給水手段と、
上記天板の下方に配置された着脱可能な部品とを備え、
上記天板には上記部品に対向する開口部が設けられていることを特徴とする洗濯機。
【請求項２】
請求項１に記載の洗濯機において、
上記天板に設けられ、上記開口部を底面に有する凹部と、
上記凹部に収容される天蓋とを備えたことを特徴とする洗濯機。
【請求項３】
請求項１に記載の洗濯機において、
上記水槽内に配置されると共に、洗濯物を収容する回転ドラムを備えたことを特徴とする洗濯機。
【請求項４】
請求項１に記載の洗濯機において、
上記給水手段に対して出し入れ可能な洗剤ケースを備えたことを特徴とする洗濯機。
【請求項５】
請求項１に記載の洗濯機において、
上記給水手段に給水経路を介して接続された給水弁を備え、
上記部品は上記給水経路に設けられた銀イオンユニットであることを特徴とする洗濯機。
【請求項６】
請求項１に記載の洗濯機において、
上記天板に設けられ、上記開口部を底面に有する凹部と、
上記凹部に収容されるシート形状の天蓋と、
上記給水手段に対して出し入れ可能な洗剤ケースとを備え、
上記洗剤ケースを上記給水手段から引き出すことにより、上記天蓋の側面が露出することを特徴とする洗濯機。
【請求項７】
請求項２または６に記載の洗濯機において、
上記天蓋は弾性体から成っていることを特徴とする洗濯機。
【請求項８】
請求項２または６に記載の洗濯機において、
上記天蓋は透明または半透明であることを特徴とする洗濯機。
【請求項９】
請求項２または６に記載の洗濯機において、
上記天蓋の表側の材質は上記天蓋の裏側の材質と異なっていることを特徴とする洗濯機。
【請求項１０】
請求項２に記載の洗濯機において、
上記天蓋は断面略凹形状であることを特徴とする洗濯機。
【請求項１１】
請求項２または６に記載の洗濯機において、
上記天蓋は上記天板に回動自在に取り付けられていることを特徴とする洗濯機。
【発明の詳細な説明】
【技術分野】
【０００１】
本発明は、ドラム式洗濯機、全自動洗濯機、２槽式洗濯機等、あらゆるタイプの洗濯機に関する。
【背景技術】
【０００２】
従来、ドラム式洗濯機は、図８に示すように、洗濯物投入用の開口部８０１ａを有する外箱８０１と、この外箱８０１内に配置され、洗濯物投入用の開口部８０１ａに対向する開口部８０２ａを有する水槽８０２と、この水槽８０２内に回転自在に配置され、洗濯物を収容する回転ドラム８０３とを備えたものがある。
【０００３】
上記外箱８０１の洗濯物投入用の開口部８０１ａは、水槽８０２の開口部８０２ａとドアパッキン８０５により連結されていて、ドア８０６により密封される。
【０００４】
上記水槽８０２は、弾性バネ８１１により外箱８０１内で吊下げられている。また、上記水槽８０２の上方には、給水弁８０９および給水装置８１０が設けられている。一方、上記水槽８０２の下方には排水装置８０７が設けられている。
【０００５】
上記回転ドラム８０３は、水槽８０２の後部に取り付けられた駆動機構８０８が直接回転駆動するようになっている。また、上記回転ドラム８０３の周壁全域には複数の小孔８０３ａが設けられている。
【０００６】
また、上記外箱８０１の上部の天板８２０は外箱８０１の側部にネジで固定されている。この天板８２０を取り外すことにより、図９に示すように、水槽８０２、給水弁８０９および給水装置８１０などが露出するから、外箱８０１を移動させずに修理を行うことができる。
【０００７】
上記構成のドラム式洗濯機によれば、回転ドラム８０３内に洗濯物を投入した後、外箱８０１の前面上部のスタートボタンを押すと、給水弁８０９が開かれ、給水弁８０９から水槽８０２へ向かって水が流れる。この水は、給水装置８１０を通過することにより、給水装置８１０内に貯留された洗剤を含んで洗濯水となって水槽８０２内に流入する。そして、上記水槽８０２の水量が所定量に達すると、給水弁８０９が閉じられ、回転ドラム８０３が低速回転する。この回転ドラム８０３の回転に伴って、回転ドラム８０３内の洗濯物の持ち上げと落下とが繰り返される。その結果、上記回転ドラム８０３内の洗濯物は落下の衝撃力により汚れが落ちる。
【０００８】
上記洗濯物の洗濯が終了すると、排水装置８０７が駆動し、水槽８０２内の汚れた洗剤液が排出されて、洗濯物のすすぎが行われる。
【０００９】
上記すすぎが終了すると、排水装置８０７が再び駆動し、水槽８０２内のすすぎ水が排出されて、洗濯物の脱水が行われる。この脱水では、回転ドラム８０３を高速回転させることにより、洗濯物と、洗濯物が含む水分とを遠心力で分離する。このとき、上記洗濯物から分離された水分は、小孔８０３ｂからドラム８０３外に出た後、水槽２の内壁をつたって下方へ移動して、排水装置８０７を経て洗濯機外に排出される。
【００１０】
また、上記ドラム式洗濯機では、天板８２０が平板形状であるから、図１０に示すように、洗剤８５１などのものを天板８２０上に置くことができる。つまり、上記天板８２０上のスペースを物を置くスペースとして有効に活用することができる。
【００１１】
以上のようなドラム式洗濯機の天板８２０の着脱性を向上したものが例えば特許文献１（特開平１０−２６３２６６号公報）で開示されている。この特許文献１では、天板を外すことにより、外箱内の部品のメンテナンスや交換が可能になるが、他の金属部品のエッジや、配線なども露出することになるため、安全性および信頼性が低くならないように、サービスマンしか天板を外すことができないようにしている。
【００１２】
その結果、上記外箱内の消耗部品が消耗してしまった場合、サービスマンを呼び、消耗部品をサービスマンに交換してもらうため、ランニングコストが高くなるという問題がある。
【特許文献１】特開平１０−２６３２６６号公報
【発明の開示】
【発明が解決しようとする課題】
【００１３】
そこで、本発明の課題は、ランニングコストが低く、かつ、安全性および信頼性が高い洗濯機を提供することにある。
【課題を解決するための手段】
【００１４】
上記課題を解決するため、本発明の洗濯機は、
上部が天板から成る外箱と、
上記外箱内に配置された水槽と、
上記水槽に給水する給水手段と、
上記天板の下方に配置された着脱可能な部品とを備え、
上記天板には上記部品に対向する開口部が設けられていることを特徴としている。
【００１５】
上記構成の洗濯機によれば、上記天板に設けた開口部が部品に対向することよって、部品が開口部から露出するから、天板を取り外さずに、部品のメンテナンスや交換を行える。したがって、例えばサービスマンに頼まなくても、部品のメンテナンスや交換をユーザ自身で行え、ランニグコストを低減できる。
【００１６】
また、上記部品のメンテナンスや交換を行う場合、天板を取り外さないから、他の金属部品のエッジや、配線などが露出しない。したがって、安全性および信頼性を高めることができる。
【００１７】
一実施形態の洗濯機では、
上記天板に設けられ、上記開口部を底面に有する凹部と、
上記凹部に収容される天蓋とを備えている。
【００１８】
上記実施形態の洗濯機によれば、上記天板の凹部に天蓋を収容することによって、開口部を天蓋で覆えるから、デザイン性を高めることができる。
【００１９】
また、上記天蓋を天板に対して着脱可能にすると、天蓋を天板から取り外すことにより、天蓋の洗浄を容易に行うことできる。
【００２０】
また、上記天蓋を天板に対して着脱可能にすると、天蓋を交換することにより、天蓋の色やデザインをユーザの好みに容易に合わせることができる。
【００２１】
また、上記天蓋に例えば突起や切欠きなどを設けると、天蓋の操作性がより高まるので好ましい。
【００２２】
一実施形態の洗濯機では、上記水槽内に配置されると共に、洗濯物を収容する回転ドラムを備えている。
【００２３】
上記実施形態の洗濯機によれば、上記水槽内に配置されると共に、洗濯物を収容する回転ドラムを備えているから、洗濯に要する水の量を少なく抑えることができる。
【００２４】
一実施形態の洗濯機では、上記給水手段に対して出し入れ可能な洗剤ケースを備えている。
【００２５】
上記実施形態の洗濯機によれば、上記洗剤ケースは給水手段に対して出し入れ可能であるから、洗剤ケースを給水手段から引き出すことにより、洗剤ケース内に例えば洗剤などを容易に入れることができる。
【００２６】
一実施形態の洗濯機では、上記給水手段に給水経路を介して接続された給水弁を備え、上記部品は上記給水経路に設けられた銀イオンユニットである。
【００２７】
上記実施形態の洗濯機によれば、上記給水経路に銀イオンユニットを設けているから、給水弁から給水手段に向かう水に銀イオンを与えることができる。
【００２８】
一実施形態の洗濯機では、
上記天板に設けられ、上記開口部を底面に有する凹部と、
上記凹部に収容されるシート形状の天蓋と、
上記給水手段に対して出し入れ可能な洗剤ケースとを備え、
上記洗剤ケースを上記給水手段から引き出すことにより、上記天蓋の側面が露出する。
【００２９】
上記実施形態の洗濯機によれば、上記天板の凹部に天蓋を収容することによって、開口部を天蓋で覆えるから、デザイン性を高めることができる。
【００３０】
また、上記天蓋がシート形状であるから、天蓋の表面への印刷などを容易に行うことができる。
【００３１】
また、上記洗剤ケースを給水手段から引き出すことによって、天蓋の側面が露出するから、天蓋が掴みやすくなる。したがって、上記天蓋の操作性を高めることができる。
【００３２】
また、上記天蓋を天板に対して着脱可能にすると、天蓋を天板から取り外すことにより、天蓋の洗浄を容易に行うことできる。
【００３３】
また、上記天蓋を天板に対して着脱可能にすると、天蓋を交換することにより、天蓋の色やデザインをユーザの好みに容易に合わせることができる。
【００３４】
また、上記天蓋に例えば突起や切欠きなどを設けると、天蓋の操作性がより高まるので好ましい。
【００３５】
一実施形態の洗濯機では、上記天蓋は弾性体から成っている。
【００３６】
上記実施形態の洗濯機によれば、上記天蓋が弾性体から成るので、天板の凹部の底面が反っても、天板の凹部の底面と天蓋との間の隙間が大きくなるのを防止できる。したがって、上記天蓋のがたつきを防止できるから、振動によって天蓋が発生する音の増大を抑えることができる。
【００３７】
また、上記天蓋が弾性体から成るので、天蓋が振動しても、天板の凹部の底面上での天蓋の動きを抑制することできる。したがって、上記天板の凹部の底面に固定するための例えば爪などを天蓋に設ける必要はない。
【００３８】
一実施形態の洗濯機では、上記天蓋は透明または半透明である。
【００３９】
上記実施形態の洗濯機によれば、上記開口部を天蓋で覆っても、天蓋は透明または半透明であるから、天板下の部品の状態を天蓋ごしに確認することができる。
【００４０】
一実施形態の洗濯機では、上記天蓋の表側の材質は上記天蓋の裏側の材質と異なっている。
【００４１】
上記実施形態の洗濯機によれば、上記天蓋の表側の材質と天蓋の裏側の材質とが異なるから、天蓋の表側の部分と天蓋の裏側の部分とは異なる使い方ができる。したがって、上記天蓋の用途を広げることができる。
【００４２】
一実施形態の洗濯機では、上記天蓋は断面略凹形状である。
【００４３】
上記実施形態の洗濯機によれば、上記天蓋は断面略凹形状であるから、天板の凹部から天蓋を取り外すことにより、例えば濡れた洗濯物を運ぶトレーやバスケットとして天蓋を使用できる。したがって、上記天蓋の用途を広げることができる。
【００４４】
一実施形態の洗濯機では、上記天蓋は上記天板に回動自在に取り付けられている。
【００４５】
上記実施形態の洗濯機によれば、上記天蓋は天板に回動自在に取り付けられているから、天蓋の置き場所を確保しなくてもよく、また、天蓋の紛失を防止できる。
【発明の効果】
【００４６】
本発明の洗濯機は、天板に設けた開口部から、天板の下方に位置する部品が露出することによって、天板を取り外さずに、部品のメンテナンスや交換を行えるから、例えばサービスマンに頼まなくても、部品のメンテナンスや交換をユーザ自身で行え、ランニグコストを低減できる。
【００４７】
また、上記部品のメンテナンスや交換を行う場合、天板を取り外さないから、他の金属部品のエッジや、配線などが露出せず、安全性および信頼性を高めることができる。
【発明を実施するための最良の形態】
【００４８】
以下、本発明の洗濯機を図示の実施の形態により詳細に説明する。
【００４９】
（第１実施形態）
図１に、本発明の第１実施形態のドラム式洗濯機の概略断面図を示す。
【００５０】
上記ドラム式洗濯機は、外箱１と、この外箱１内に配置された水槽２と、この水槽２内に回転自在に配置され、洗濯物を収容する回転ドラム３と、この水槽２の底部の設けられた排水装置７と、回転ドラム３を回転駆動するモータ８と、水槽４の上方に配置された給水装置１０とを備えている。この給水装置１０は給水手段の一例である。
【００５１】
上記外箱１の上部は天板２０から成り、外箱１の前部は前パネル２１から成り、外箱１の底部は底台２２から成っている。また、上記外箱１の後面には後ろ蓋２３を取り付けている。上記前パネル２１には開口部２１ａが設けられていて、この開口部２１ａを通して洗濯物の出し入れを行うようにしている。上記前パネル２１の開口部２１ａは、前パネル２１に対して上下方向にスライド可能な外部ドア２４によって開閉される。この外部ドア２４は、前パネル２１の下部の内側に収容されるようになっている。つまり、上記前パネル２１の開口部２１ａの開放時、外部ドア２４は二点差線で示すように位置にするようになっている。また、上記外箱１の前側の湾曲部には、操作キーや表示部を有する操作パネル１２を設けている。この操作パネル１２の裏側（水槽２側）に、ドラム式洗濯機の動作を制御する制御装置１３が配置されている。
【００５２】
上記水槽２はサスペンション１１によって弾性支持されている。また、上記水槽２は有底筒形状で、その開口部２ａが前パネル２１の開口部２１ａに対向するように若干傾斜して横向き配置されている。より詳しくは、上記回転ドラム３の回転軸心が、水平方向に対して例えば１０°〜２０°だけ後ろ側（回転ドラム３の奥側）が下がるように傾斜している。また、上記水槽２の開口部２ａと前パネル２１の開口部２１ａとは互いに離隔して対向している。そして、上記水槽２には、透明なヒンジ式の蓋体６を回動自在に取り付けている。この蓋体６で水槽２の開口部２ａを閉じると、水槽２の開口部２ａからは外部に水が漏れなくなる。
【００５３】
上記回転ドラム３の周壁全域には複数の小孔３ａが設けられている。この小孔３ａは、水槽２と回転ドラム３との間の空間と、回転ドラム３内の空間との間で液体（洗濯水またはすすぎ水）を流通させるためのものである。また、上記回転ドラム３の内壁面には、半径方向内側に向かって突出するバッフル３ｂが設けられている。このバッフル３ｂは、周方向に例えば１２０°間隔で３ヶ所に設けられている。このようなバッフル３ｂが、回転ドラム３の回転に伴って、洗濯物の持上げと落下とを繰り返す働きをする。また、上記回転ドラム３には、開口部３ｃを外側から取り囲む流体バランサ３ｄが設けられている。これにより、上記回転ドラム３の回転時に、洗濯物および液体（洗濯水またはすすぎ水）の偏りにより生じようとするアンバランスは、流体バランサ３ｄの内部における封入流体の移動によって打消される。
【００５４】
上記排水装置７は排水弁モータによって開閉される。この排水装置７の開放により水槽２内の液体がフレキシブルな排水ホース１９を通して外部に排水されるようになっている。
【００５５】
上記給水装置１０内の上部にはノズル１０ａが設けられている。また、上記給水装置１０には給水弁９から水が供給される。上記給水弁９からの水は、給水装置１０を経由した後、ダクト１５を介して水槽２内に流入する。
【００５６】
図２に、上記ドラム式洗濯機を斜め上方から見た概略図を示す。
【００５７】
上記天板２０は樹脂で成形されており、外箱１の前部、側部および後部にネジで固定されている。上記天板２０の略中央部には、シート形状の天蓋３２を収容する凹部２０ａが設けられている。そして、上記凹部２０ａの底面の角部近傍には、銀イオンユニット３１に対向する開口部２０ｂが設けられている。なお、上記天蓋３２は凹部２０ａと略同じ大きさである。
【００５８】
上記天蓋３２は、凹部２０ａの底面上に置くだけであるから、凹部２０ａから容易に取り外すことができる。例えば、上記銀イオンユニット３１が故障や寿命などで交換する場合、ユーザは天蓋３２を凹部２０ａから取り外すだけで、銀イオンユニット３１を露出させることができる。
【００５９】
図３に、上記ドラム式洗濯機の上部の概略断面図を示す。なお、図３は図１とは異なる切断面によるものである。
【００６０】
上記銀イオンユニット３１は、給水弁９とノズル１０ａとを接続する給水経路３０に着脱可能になっている。上記給水経路３０は略逆Ｔ字形状であり、略水平部３０ａの一方の端部が給水弁９に接続し、略水平部３０ａの他方の端部がノズル１０ａに接続している。また、上記給水経路３０の略垂直部３０ｂは銀イオンユニット３１に接続している。このような給水経路３０に水を流すと、水は銀イオンユニット３１を経由した後、ノズル１０ａに達する。なお、上記給水経路３０の略垂直部３０ｂと銀イオンユニット３１との間はＯリング３３で水密されている。
【００６１】
上記給水装置１０は、ノズル１０ａを用いて給水弁９からの水を洗剤ケース３４内に散水する。上記洗剤ケース３４は給水装置１０に対して出し入れ自在であり、洗剤ケース１０ｄ内には洗剤や柔軟剤を貯留することができる。また、上記給水装置１０の給水弁９側の上部には、開口部２０ｂに対向する穴１０ｂが設けられている。この穴１０ｂに給水経路３０の略垂直部３０ｂを挿通しているため、給水経路３０の略垂直部３０ｂの上部が給水装置１０から突出している。また、上記穴１０ｂおよび銀イオンユニット３１の周囲を取り囲むようにリブ１０ｃが設けられている。このリブ１０ｃの上端は天板２０の裏面に固定されていて、リブ１０ｃの内周面と開口部１０ｂの内周面とは略面一になっている。
【００６２】
上記構成のドラム式洗濯機によれば、上記開口部２０ｂが銀イオンユニット３１に対向しているから、天蓋３２を凹部２０ａから取り外すことにより、銀イオンユニット３１が開口部から露出する。したがって、上記天板２０を取り外さずに、銀イオンユニット３１のメンテナンスや交換を行える。したがって、例えばサービスマンに頼まなくても、銀イオンユニット３１のメンテナンスや交換をユーザ自身で行え、ランニグコストを低減できる。
【００６３】
また、上記銀イオンユニット３１のメンテナンスや交換を行う場合、天板２０を取り外さないから、他の金属銀イオンユニット３１のエッジや、配線などが露出しない。したがって、安全性および信頼性を高めることができる。
【００６４】
また、上記銀イオンユニット３１の周囲をリブ１０ｃが取り囲んでいるから、銀イオンユニット３１のメンテナンスや交換を安全に行うことができる。
【００６５】
また、上記天板２０の凹部に天蓋３２を収容することによって、開口部２０ｂを天蓋３２で覆えるから、デザイン性を高めることができる。
【００６６】
また、上記天蓋３２は凹部２０ａの底面上に置くだけであるから、天蓋３２を凹部２０ａから取り外すことにより、天蓋３２の洗浄を容易に行うことできる。
【００６７】
また、上記天蓋３２は凹部２０ａの底面上に置くだけであるから、天蓋３２を交換することにより、天蓋３２の色やデザインをユーザの好みに容易に合わせることができる。
【００６８】
また、上記ドラム式洗濯機は次のように動作する。
【００６９】
上記回転ドラム３内に洗濯物を投入した後、操作パネル１２にあるスタートボタンを押すと、給水弁９が開かれ、給水弁９から水槽２へ向かって水が流れる。この水は、給水装置１０を通過することにより、給水装置１０内に貯留された洗剤を含んで洗濯水となって水槽２内に流入する。そして、上記水槽２の水量が所定量に達すると、給水弁９が閉じられ、回転ドラム３が低速回転する。この回転ドラム３の回転に伴って、回転ドラム３内の洗濯物の持ち上げと落下とが繰り返される。これにより、上記回転ドラム３内の洗濯物は落下の衝撃力により汚れが落ちる。
【００７０】
上記洗濯物の洗濯が終了すると、排水装置７が駆動し、水槽２内の汚れた洗剤液が排出されて、洗濯物のすすぎが行われる。
【００７１】
上記すすぎが終了すると、排水装置７が再び駆動し、水槽２内のすすぎ水が排出されて、洗濯物の脱水が行われる。この脱水では、ドラム３を高速回転させることにより、洗濯物と、洗濯物が含む水分とを遠心力で分離する。このとき、上記洗濯物から分離された水分は、小孔３ｂからドラム３外に出た後、水槽２の内壁をつたって下方へ移動して、排水装置７を経て洗濯機外に排出される。
【００７２】
要するに、本実施形態のドラム式洗濯機は、図８の従来のドラム式洗濯機と同様の動作をすることができる。
【００７３】
なお、上記天蓋３２が無くても外観上の問題だけで性能などには影響はないが、天板２０上に物を置く場合には不便である。
【００７４】
（第２実施形態）
図４に、本発明の第２実施形態のドラム式洗濯機の上部の概略断面図を示す。図４において、図３に示した構成部と同一構成部は、図３における構成部と同一参照番号を付して説明を省略するか、または、簡単に説明する。
【００７５】
本実施形態のドラム式洗濯機は、上記第１実施形態とは天板１２０および洗剤ケース１３４の構成が異なっている。より詳しくは、上記天板１２０は、固定部１２０Ａと、この固定部１２０Ａに対して前後方向にスライド可能なスライド部１２０Ｂとから成っている。上記固定部１２０Ａは外箱１０１の前部、側部および後部にネジで固定されている。そして、上記天板１２０の略中央部には、板状の天蓋３２を収容する凹部１２０ａが設けられている。そして、上記凹部１２０ａの底面の角部近傍には、銀イオンユニット３１に対向する開口部１２０ｂが設けられている。上記凹部１２０ａの周壁の一部はスライド部１２０Ｂの給水弁９側の端部で構成されている。上記スライド部１２０Ｂは洗剤ケース１３４に接続されている。これにより、上記スライド部１２０Ｂを前方にスライドさせると、洗剤ケース１３４を引き出すことができる。このように、上記スライド部１２０Ｂは洗剤ケース１３４の取っ手を兼ねている。
【００７６】
上記構成のドラム式洗濯機によれば、上記第１実施形態と同様の効果を奏すると共に、スライド部１２０Ｂを前方にスライドさせることよって、天蓋３２の側面が露出するから、ユーザは手で天蓋３２を容易にめくることができる。つまり、ユーザは天蓋３２を凹部１２０ａから容易に取り外すことができる。
【００７７】
上記天蓋３２の側面には、手を引っ掛けるための突起を設けてもよい。この場合、ユーザは手で天蓋３２をより容易にめくることができる。
【００７８】
上記第１，第２実施形態では、銀イオンユニット３１に対向する開口部２０ｂを天板２０，１２０に設けていたが、外箱１，１０１内の例えば浄水ユニットなどに対向する開口部を天板２０，１２０に設けてもよい。
【００７９】
また、乾燥機能付きの洗濯機では、外箱内の送風経路に設けられたフィルターに対向する開口部を天板に設けてもよい。
【００８０】
要するに、洗濯機の天板には、外箱内の部品においてユーザーメンテナンスを要する部品に対向する開口部を設けてもよい。
【００８１】
上記第１，第２実施形態において、天蓋３２はゴムなどの弾性体から成ってもよい。上記天蓋３２が弾性体から成っている場合、凹部２０ａ，１２０ａの底面が反っても、その底面に天蓋３２を馴染ませることができる。したがって、上記凹部２０ａ，１２０ａの底面の反りによる天蓋３２のがたつきを防止できる。
【００８２】
また、上記天蓋３２を弾性材料で形成した場合、天蓋３２のがたつきを防止できるから、天蓋３２上に置いた洗剤などが天蓋３２のがたつきで落下するのを防止できる。したがって、上記天蓋３２上に置いた洗剤などの落下による騒音でユーザが不快にならない。
【００８３】
また、上記天蓋３２を透明または半透明な材料で形成すれば、天蓋３２を凹部２０ａ，１２０ａから取り外さなくても、銀イオンユニット３１を確認することができるから、ユーザに安心感を与えることができる。
【００８４】
また、上記天蓋３２は、単一の材料からなってもよいし、異なる複数の材料から成ってもよい。上記天蓋３２の代わりに、例えば、図５に示す天蓋１３２を用いてもよい。この天蓋１３２は、表側部材１３２ａと、この表側部材１３２ａとは異なる材質の裏側部材１３２ｂとを貼り合わせたり、インサート成型したりして得られる。上記表側部材１３２ａの材料を印刷などが可能な非耐熱材料とする一方、裏側部材１３２ｂの材料を耐熱材料とした場合、裏側部材１３２ｂをアイロン台として用いることができて便利である。
【００８５】
また、上記天蓋３２の代わりに、例えば、図６に示す断面略凹形状の天蓋２３２を用いてもよい。この天蓋２３２を用いた場合、濡れた布や液体洗剤などを天蓋２３２上に置いても、液体が外箱１，１０１内に入るのを防止できる。また、上記天蓋２３２は、凹部２０ａ，１２０ａから取り外せば、濡れた布や液体洗剤などを運ぶトレーとして用いることができて便利である。
【００８６】
また、上記天蓋３２の代わりに、図７に示す天蓋３３２を天板２０に回動自在に取り付けてもよい。上記天蓋３３２の給水弁９側の端部における左右両側には円柱形状の軸部３３２ｃが設けられている。この軸部３３２ｃが天板２０で保持されていて、天蓋３３２を二点鎖線の位置に回動させることができる。
【００８７】
また、上記天蓋３３２は天板２０に連結されているから、天蓋３３２の紛失を防止することができる。
【００８８】
また、図示しないが、上記天蓋３３２を天板１２０に回動自在に取り付けてもよい。また、上記天蓋３３２のように、天蓋１３２を天板２０または天板１２０に回動自在に取り付けてもよいし、あるいは、天蓋２３２を天板２０または天板１２０に回動自在に取り付けてもよい。
【００８９】
また、本発明の天蓋は、天板と同じ樹脂から成ってもよいし、発泡体から成ってもよい。
【００９０】
また、本発明の天蓋に取っ手を設けると、天蓋の操作性が向上するので好ましい。
【００９１】
また、本発明は、ドラム式洗濯機のみならず、いわゆる縦型の全自動洗濯機や２槽式洗濯機等の様々な洗濯機に適用することができる。
【００９２】
また、本発明は、乾燥機能を有する洗濯機は勿論のこと、乾燥機能を有さない洗濯機にも適用することができる。
【図面の簡単な説明】
【００９３】
【図１】図１は本発明の第１実施形態のドラム式洗濯機の概略断面図である。
【図２】図２は上記ドラム式洗濯機を斜め上方から見た概略図である。
【図３】図３は上記ドラム式洗濯機の上部の概略断面図である。
【図４】図４は本発明の第２実施形態のドラム式洗濯機の上部の概略断面図である。
【図５】図５は本発明の天板の変形例の概略断面図である。
【図６】図６は本発明の天板の変形例の概略断面図である。
【図７】図７は上記第１実施形態のドラム式洗濯機の変形例の上部の概略断面図である。
【図８】図８は従来のドラム式洗濯機の概略断面図である。
【図９】図９は上記従来のドラム式洗濯機の天板を取り外した状態の概略上面図である。
【図１０】図１０は上記従来のドラム式洗濯機を斜め上方から見た概略図である。
【符号の説明】
【００９４】
１，１０１  外箱
２  水槽
３  回転ドラム
６  蓋体
７  排水装置
８  モータ
９  給水弁
１０  給水装置
１１  サスペンション
２０，１２０  天板
２４  外部ドア
３０  給水経路
３１  銀イオンユニット
３２，１３２，２３２，３３２  天蓋
３４，１３４  洗剤ケース
【図１】
2005334118.tif 000003
【図２】
2005334118.tif 000004
【図３】
2005334118.tif 000005
【図４】
2005334118.tif 000006
【図５】
2005334118.tif 000007
【図６】
2005334118.tif 000008
【図７】
2005334118.tif 000009
【図８】
2005334118.tif 000010
【図９】
2005334118.tif 000011
【図１０】
2005334118.tif 000012